(57)【要約】【課題】ユーザの意図した画像読み取りから画像出力に到る一連の動作の少なくとも一部分を行うことのできる画像形成装置を実現すること。【解決手段】原稿から画像を読み取る画像読み取り部１４と、画像読み取り部１４により読み取った画像の縮小画像を表示する表示部１２と、画像読み取り部１４により読み取った画像を転写紙に出力する画像出力部１６と、画像読み取りから画像出力に到る一連の動作の少なくとも一部分を縮小画像を用いた動画で表示部１２に表示させる制御部１０と、を備える。【選択図】図１
2008026381.tif 000002
【特許請求の範囲】
【請求項１】
原稿から画像を読み取る画像読み取り部と、
前記画像読み取り部により読み取った画像の縮小画像を表示する表示部と、
前記画像読み取り部により読み取った画像を転写紙に出力する画像出力部と、
画像読み取りから画像出力に到る一連の動作の少なくとも一部分を前記縮小画像を用いた動画で前記表示部に表示させる制御部と、
を備えることを特徴とする画像形成装置。
【請求項２】
不揮発性の記憶部を備え、
前記縮小画像を用いた動画は、
前記画像読み取り部により読み取った画像を前記記憶部に格納することを示す動画を含むことを特徴とする請求項１に記載の画像形成装置。
【請求項３】
前記縮小画像を用いた動画は、サムネイル画像を用いた動画であることを特徴とする請求項１又は２に記載の画像形成装置。
【請求項４】
前記縮小画像を用いた動画は、
原稿の両面読み取り、原稿のページ連写読み取り、スタンプ付き原稿の読み取り、及び転写紙読み取りのうち少なくとも１つを含む動画であることを特徴とする請求項１から３のいずれか一項に記載の画像形成装置。
【請求項５】
前記制御部は、
前記原稿の両面読み取りを行う場合、前記原稿の両面読み取りを前記縮小画像を用いた動画により前記表示部に表示する動作と、前記画像読み取り手段による画像読み取り動作とを同期させることを特徴とする請求項４に記載の画像形成装置。
【発明の詳細な説明】
【技術分野】
【０００１】
本発明は、画像形成装置に関する。
【背景技術】
【０００２】
従来から、原稿から読み取った画像の縮小画像等を表示部に表示する技術が知られている。例として、複数原稿を連続して読み取り、当該読み取った画像を蓄積するとき、蓄積されている画像の縮小画像を表示する技術が提案されている（例えば、特許文献１参照）。また、ファイルアイコンの表示プログラムを提供する技術が提案されている（例えば、特許文献２参照）。
【特許文献１】特開２００３−３３３２４５号公報
【特許文献２】特開２００４−５４８３９号公報
【発明の開示】
【発明が解決しようとする課題】
【０００３】
しかしながら、上述した従来技術は、画像読み取りに関する動作を視覚的に理解容易に表示する機能はなかった。ここで、画像読み取りに関する動作とは、画像読み取り応用機能による読み取り動作や画像読み取り設定条件の読み取り動作のことをいう。画像読み取り応用機能による読み取り動作とは、原稿の両面を読み取る機能による読み取り動作、原稿のページを連写して読み取る機能による読み取り動作、スタンプ付きの原稿を読み取る機能による読み取り動作のことをいう。画像読み取り設定条件の読み取り動作とは、原稿サイズ以外の部分は自動的に消去し、転写紙のサイズ分しか読み取りを行わない設定により読み取り動作を行うことをいう。
例えば、ユーザが原稿の両面を読み取る機能を選択した場合、縮小画像が表示部に表示された時点では、読み取った画像が記憶媒体に記憶される過程を確認することができなかった。このため、ユーザは、意図した画像読み取りがなされているかを確認することができなかった。
また、同様に、読み取った画像を転写紙に出力する場合、画像出力時点では、読み取った画像が転写紙に出力される過程を確認することができなかった。このため、ユーザは、意図した画像出力がなされているかを確認することができなかった。
【０００４】
そこで、本発明の課題は、ユーザの意図した画像読み取りから画像出力に到る一連の動作の少なくとも一部分を行うことのできる画像形成装置を実現することである。
【課題を解決するための手段】
【０００５】
上記課題を解決するため、請求項１に記載の画像形成装置は、
原稿から画像を読み取る画像読み取り部と、
前記画像読み取り部により読み取った画像の縮小画像を表示する表示部と、
前記画像読み取り部により読み取った画像を転写紙に出力する画像出力部と、
画像読み取りから画像出力に到る一連の動作の少なくとも一部分を前記縮小画像を用いた動画で前記表示部に表示させる制御部と、を備えることを特徴とする。
【０００６】
請求項２に記載の発明の画像形成装置は、請求項１に記載の画像形成装置において、
不揮発性の記憶部を備え、
前記縮小画像を用いた動画は、
前記画像読み取り部により読み取った画像を前記記憶部に格納することを示す動画を含むことを特徴とする。
【０００７】
請求項３に記載の発明の画像形成装置は、請求項１又は２に記載の画像形成装置において、
前記縮小画像を用いた動画は、サムネイル画像を用いた動画であることを特徴とする。
【０００８】
請求項４に記載の発明の画像形成装置は、請求項１から３のいずれか一項に記載の画像形成装置において、
前記縮小画像を用いた動画は、
原稿の両面読み取り、原稿のページ連写読み取り、スタンプ付き原稿の読み取り、及び転写紙読み取りのうち少なくとも１つを含む動画であることを特徴とする。
【０００９】
請求項５に記載の発明の画像形成装置は、請求項４に記載の画像形成装置において、
前記制御部は、
前記原稿の両面読み取りを行う場合、前記原稿の両面読み取りを前記縮小画像を用いた動画により前記表示部に表示する動作と、前記画像読み取り手段による画像読み取り動作とを同期させることを特徴とする。
【発明の効果】
【００１０】
請求項１に記載の発明によれば、画像読み取りから画像出力に到る一連の動作の少なくとも一部分を縮小画像を用いた動画で表示部に表示することができる。これにより、ユーザの意図した画像読み取りから画像出力に到る一連の動作の少なくとも一部分を行うことのできる画像形成装置を実現することができる。例えば、読み取った画像が読み取りミスであった場合、ユーザは、画像読み取り時に、読み取った画像の読み取りミスに気付くことができる。これにより、ユーザは、読み取りを中断して、意図した画像の読み取りをさせることができる。また、ユーザは、画像出力時に、読み取った画像の出力ミスに気付くことができる。これにより、ユーザは、画像出力を中断して、意図した画像の出力をさせることができる。
【００１１】
請求項２に記載の発明によれば、縮小画像を用いた動画は、画像読み取り部により読み取った画像を記憶部に格納することを示すことができる。これにより、ユーザは、画像読み取り時に読み取りミスに気付いた場合、読み取りを中断して、意図した画像読み取りをさせることができる。
【００１２】
請求項３に記載の発明によれば、縮小画像を用いた動画は、サムネイル画像として表示することができる。これにより、読み取った画像の天地が正しいかを、画像読み取り時に確認することができる。
【００１３】
請求項４に記載の発明によれば、縮小画像を用いた動画は、両面読み取り、ページ連写読み取り、スタンプ付き原稿の読み取り、及び転写紙読み取りのうち少なくとも１つを含むことができる。
【００１４】
請求項５に記載の発明によれば、原稿の両面読み取りを縮小画像を用いた動画により表示部に表示する動作と、画像読み取り動作とを同期することができる。これにより、ユーザは、画像読み取り時に読み取りミスに気付いた場合、読み取りを中断して、意図した画像読み取りをさせることができる。
【発明を実施するための最良の形態】
【００１５】
以下、添付図面を参照して本発明に係る実施の形態を詳細に説明する。ただし、発明の範囲は、図示例に限定されない。
【００１６】
図１〜図５を参照して、本発明に係る第１の実施の形態を説明する。図１に、本実施の形態の画像形成装置１の内部構成を示す。図２に、本実施の形態において表示部１２に表示される画面表示を示す。図３に両面読み取り処理を示す。図４及び図５に、両面読み取り処理が実行される際の各部動作を示す。先ず、図１を参照して、本実施の形態の装置構成を説明する。図１に本実施の形態の画像形成装置１の内部構成を示す。
【００１７】
画像形成装置１は、制御部１０と、操作部１１と、表示部１２と、ＨＤＤ（Hard Disk Drive）１３と、画像読み取り部１４と、画像処理部１５と、画像出力部１６と、画像メモリ１７と、通信部１８と、Ｉ／Ｆ部１９と、を備えて構成される。
【００１８】
制御部１０は、ＣＰＵ（Central Processing Unit）、ＲＯＭ（Read Only Memory）、ＲＡＭ（Read Access Memory）等により構成され、画像形成装置１を構成する各機能に対する指示や、当該機能部間のデータ通信等を制御する。具体的には、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。特に、ＲＯＭには、後述する両面読み取りプログラムが記憶される。  
【００１９】
制御部１０は、両面読み取りプログラムにより、画像読み取り部１４から読み取った原稿の両面画像を縮小画像としてサムネイル表示し、当該サムネイル画像がＨＤＤ１３に保存される動作を動画表示する。
【００２０】
操作部１１は、操作入力キーやタッチパネル等により構成され、押下されたキーに対応する押下信号や、タッチパネルを当接された位置に対応する位置信号等の操作信号を制御部１０に出力する。
【００２１】
表示部１２は、ＣＲＴ（Cathode Ray Tube）やＬＣＤ（Liquid Crystal Display）等により構成され、制御部１０から出力される表示データに基づいて画像の表示状態、各機能の動作状況等を表示出力する。
【００２２】
ＨＤＤ１３は、磁気記憶媒体を備え、制御部１０の指示により、各種情報を読み出し及び読み書き可能に磁気記憶媒体に記憶する。ＨＤＤ１３には、画像読み取り部１４により読み取った画像データ等が記憶される。
【００２３】
画像読み取り部１４は、プラテンガラス、ＣＣＤ（Charge Coupled Devices）及び光源を備え、ＡＤＦ（Auto Document Feeder）に載置された原稿に対して光源から照明走査した光の反射光をＣＣＤにより結像して光電変換することにより原稿の画像を読み取り、その画像の画像データを生成して画像処理部１５に出力する。
【００２４】
画像処理部１５は、制御部１０の指示に基づいて、画像読み取り部１４から出力された画像データ、ＨＤＤ１３に記憶された画像データを圧縮して、画像メモリ１７の圧縮メモリに圧縮画像データとして書き込んで一時的に記憶させる。
【００２５】
制御部１０から画像データの読み出し指示があると、画像メモリ１７に記憶した圧縮画像データを伸長し、画像メモリ１７に一旦記憶させる。そして、制御部１０から印刷出力が指示されると、画像処理部１５は、ページメモリから非圧縮の画像データをページ単位で読み出し、画像データの拡縮や方向転換等の画像処理を行う。そして、その画像データに基づくＰＷＭ（Pulse Width Modulation）信号を生成することにより画像データの階調（濃淡）をパルス幅で制御し、当該ＰＷＭ信号を画像出力部１６に出力する。
【００２６】
画像出力部１６は、ＬＤ（Laser Diode）と、感光体ドラムと、帯電器と、現像器と、転写部と、定着器と、転写紙を供給する給紙トレイと、搬送経路に沿って転写紙を搬送する給紙ローラ等を備えて構成される。画像出力部１６は、インクジェット式、熱転写式など、他のプリント方式でもよい。
【００２７】
具体的に画像出力部１６は、画像処理部１５の指示に基づいて、所定のサイズ及び方向の転写紙を給紙トレイの何れかから給紙して、当該転写紙を搬送経路上に搬送する。そして、感光体ドラム表面を帯電器により帯電させ、画像処理部１５から入力されたＰＷＭ信号に基づいてＬＤによって感光体ドラム表面にレーザ光を照射することにより静電潜像を形成し、感光体ドラム表面の静電潜像を含む領域に現像器によりトナーを付着させる。さらに、給紙トレイから搬送された転写紙に転写部がトナーを転写して画像を形成し、定着器で定着させる。
【００２８】
画像メモリ１７は、ＤＲＡＭ（Dynamic RAM）により構成され、圧縮された画像データを一時的に記憶する圧縮メモリと、印刷出力前にプリント出力対象の非圧縮の画像データを一時的に格納するページメモリとを有する。
【００２９】
通信部１８は、通信回線を介して外部機器とデータ通信するための機能部であり、モデムやＬＡＮインターフェイス、ＵＳＢ等により構成される。Ｉ／Ｆ部１９は、図示しない接続された外部機器とデータ通信するための機能部であり、シリアルインタフェース等により構成される。
【００３０】
次に、図２を参照して、本実施の形態において表示部１２に表示される画面表示について説明する。先ず、図２（Ａ）に示すように、サムネイル用の台紙２１、表面のサムネイル画像２２、ＨＤＤの画２３が表示部１２に表示される。ここで、表面のサムネイル画像２２を「Ａ」とする。また、表示部１２には、「両面読み取りが選択されています」と表示される。
【００３１】
そして、図２（Ｂ）に示すように、サムネイル画像２２が２２Ａの位置に移動する。次いで、図２（Ｃ）に示すように、サムネイル画像２２が２２Ａの位置から２２Ｂの位置に移動する。サムネイル画像２２が２２Ｂの位置に移動すると、図２（Ｄ）に示すように、サムネイル画像２２がＨＤＤの画２３と重なる。この図は、サムネイル画像２２がＨＤＤ１３に格納されることを示している。
【００３２】
そして、図２（Ｅ）〜（Ｇ）に示すように、サムネイル用の台紙２１が反転する。そして、図２（Ｈ）に示すように、反転したサムネイル用台紙２１上に、裏面のサムネイル画像２４が表示される。ここで、裏面のサムネイル画像２４を「Ｂ」とする。以下、図２（Ａ）〜（Ｄ）と同様の画像が表示部１２に表示される。
【００３３】
次に、図３を参照して、画像形成装置１で実行される両面読み取り処理を説明する。両面読み取り処理は、画像読み取り部１４から読み取った原稿の両面画像をサムネイル表示し、当該サムネイル画像がＨＤＤ１３に保存される動作を動画表示する。
【００３４】
例えば、画像形成装置１において、ユーザより両面読み取り処理の実行指示が操作部１１を介して入力されたこと等をトリガとして、制御部１０でＲＯＭから読み出されて適宜ＲＡＭに展開された両面画像読み込みプログラムと、ＣＰＵとの協働により両面読み取り処理が実行される。
【００３５】
先ず、読み取られる原稿サイズより必要メモリ量が計算される（ステップＳ１０１）。ここで、必要メモリ量とは、原稿から読み取った画像を記憶する際に必要なメモリの容量のことである。また、原稿から読み取った画像は、ビットマップ形式で読み取られて、必要メモリが計算される。そして、画像メモリ１７に必要メモリ量が確保される（ステップＳ１０２）。次いで、画像読み取り部１４に画像読み取り動作の指示が行われ、画像メモリ１７に画像データが保存される（ステップＳ１０３）。
【００３６】
ステップＳ１０３の実行後、サムネイル表示モードか否かの判別が行われる（ステップＳ１０４）。サムネイル表示モードでない場合（ステップＳ１０４；ＮＯ）、ステップＳ１１５へ移行される。サムネイル表示モードの場合（ステップＳ１０４；ＹＥＳ）、読み取った画像より、サムネイル用メモリ量が計算される（ステップＳ１０５）。ここで、サムネイル用メモリ量とは、読み取った画像をサムネイル表示する際に必要なメモリの容量のことである。ステップＳ１０５の実行後、画像メモリ１７にサムネイル用メモリが確保される（ステップＳ１０６）。そして、確保した領域にサムネイルが作成される（ステップＳ１０７）。
【００３７】
次いで、サムネイル用の台紙２１、サムネイル画像２２、ＨＤＤの画２３を表示部１２に表示させる（ステップＳ１０８）。そして、サムネイル画像２２をサムネイル用の台紙２１の初期位置座標に表示させる（ステップＳ１０９）。このステップは、図２（Ａ）に該当する。
【００３８】
そして、サムネイル画像２２がＨＤＤの画２３の位置に来ているか否かが判別される（ステップＳ１１０）。サムネイル画像２２がＨＤＤの画２３の位置に来ている場合（ステップＳ１１０；ＹＥＳ）、サムネイル画像２２の表示が消される（ステップＳ１１１）。サムネイル画像２２がＨＤＤの画２３の位置に来ていない場合（ステップＳ１１０；ＮＯ）、サムネイル画像２２の表示が消される（ステップＳ１１２）。そして、サムネイル画像２２が、消される前の座標よりＨＤＤの画２３に近づけられて再表示される（ステップＳ１１３）。ステップＳ１１２、Ｓ１１３は図２（Ｂ）、（Ｃ）に該当する。ステップＳ１１３の実行後、ステップＳ１１０へ移行される。
【００３９】
そして、裏面読み取りが終了しているか否かの判別が行われる（ステップＳ１１４）。このステップは図２（H）に示す裏面のサムネイル画像「Ｂ」の読み取りが終了しているか否かを判別するステップに該当する。裏面読み取りが終了している場合（ステップＳ１１４；ＹＥＳ）、読み取った画像がＨＤＤ１３に保存される（ステップＳ１１５）。
【００４０】
裏面読み取りが終了していない場合（ステップＳ１１４；ＮＯ）、サムネイル用の台紙２１が反転したか否かが判別される（ステップＳ１１６）。サムネイル用の台紙２１が反転している場合（ステップＳ１１６；ＹＥＳ）、ステップＳ１１５へ移行される。サムネイル用の台紙２１が反転していない場合（ステップＳ１１６；ＮＯ）、サムネイル用の台紙２１の表示が消される（ステップＳ１１７）。そして、消される前より回転したサムネイル用の台紙２１が再表示される（ステップＳ１１８）。ステップＳ１１７、Ｓ１１８は、図２（Ｅ）〜（Ｇ）に該当する。ステップＳ１１８の実行後、ステップＳ１１６へ移行される。
【００４１】
ステップＳ１１５の実行後、画像メモリ１７の必要メモリ及びサムネイル用メモリがクリアされる（ステップＳ１１９）。そして、両面読み取りが終了したか否かが判別される（ステップＳ１２０）。両面読み取りが終了していない場合（ステップＳ１２０；ＮＯ）、ステップＳ１０１へ移行される。両面読み取りが終了した場合（ステップＳ１２０；ＹＥＳ）、両面読み取り処理は終了する。
【００４２】
次に、図４及び図５を参照して、両面読み取り処理の表示部１２の表示動作、ＣＰＵの内部処理動作及び画像形成装置１の実機動作について説明する。
先ず、画像形成装置１において、操作部１１を介してユーザよりスキャン開始ボタンが押下される動作が行われる（ステップＳ１５１）。このステップは、両面読み取り処理の実行指示に該当する。ステップＳ１５１が実行されると、ＣＰＵにおいて、原稿サイズより必要メモリ量が計算される（ステップＳ１５２）。そして、画像メモリ１７に原稿サイズに必要メモリが確保される（ステップＳ１５３）。ステップＳ１５３の実行後、画像形成装置１において、画像読み取り部１４により読み取り動作が行われ、読み取った画像データが画像メモリ１７に保存される（ステップＳ１５４）。
【００４３】
ステップＳ１５４の実行後、ＣＰＵにおいて、読み取った画像よりサムネイル用メモリ量が計算される（ステップＳ１５５）。ステップＳ１５５の実行後、画像メモリ１７にサムネイル用メモリが確保される（ステップＳ１５６）。そして、確保した領域にサムネイルが作成される（ステップＳ１５７）。
【００４４】
ステップＳ１５７の実行後、表示部１２に、サムネイル用の台紙２１、サムネイル画像２２、ＨＤＤの画２３が表示される（ステップＳ１５８）。そして、サムネイル画像２２がサムネイル用の台紙２１の初期位置座標に表示される（ステップＳ１５９）。ステップＳ１５９の実行後、サムネイル画像２２をＨＤＤの画２３の位置までずらしながら再表示が繰り返される（ステップＳ１６０）。そして、サムネイル画像２２の表示が消される（ステップＳ１６１）。ステップＳ１６１の実行後、サムネイル用の台紙２１が半回転するまで、サムネイル用の台紙２１の再表示が繰り返される（ステップＳ１６２）。
【００４５】
ステップＳ１６１の実行後、ＣＰＵにおいて、読み取った画像データがＨＤＤ１３に保存される（ステップＳ１６３）。また、ステップＳ１６１の実行後、画像形成装置１において、ＡＤＦ上の原稿が反転される（ステップＳ１６４）。ここで、ステップＳ１６２とステップＳ１６４とは、同時に行われる。これは、両面読み取りをサムネイル画像を用いた動画により表示部１２に表示する動作と、画像読み取り部１４による画像読み取り動作とが同期することを示す。
【００４６】
ステップＳ１６３の実行後、ＣＰＵにおいて、画像メモリ１７の原稿サイズの必要メモリ及びサムネイル用メモリがクリアされる（ステップＳ１６５）。そして、画像メモリ１７に裏面用の必要メモリが確保される（ステップＳ１６６）。ステップＳ１６６の実行後、画像形成装置１において、画像読み取り部１４により読み取り動作が行われ、読み取った画像データが画像メモリ１７に保存される（ステップＳ１６７）。ステップＳ１６７の実行後、ＣＰＵにおいて、読み取った画像よりサムネイル用の必要メモリ量が計算される（ステップＳ１６８）。ステップＳ１６８の実行後、画像メモリ１７にサムネイル用メモリが確保される（ステップＳ１６９）。そして、確保した領域にサムネイルが作成される（ステップＳ１７０）。
【００４７】
ステップＳ１７０の実行後、表示部１２に、サムネイル用の台紙２１、サムネイル画像２２、ＨＤＤの画２３が表示される（ステップＳ１７１）。そして、サムネイル画像２２がサムネイル用の台紙２１の初期位置座標に表示される（ステップＳ１７２）。ステップＳ１７２の実行後、サムネイル画像２２をＨＤＤの画２３の位置までずらしながら再表示が繰り返される（ステップＳ１７３）。そして、サムネイル画像２２の表示が消される（ステップＳ１７４）。ステップＳ１７４の実行後、サムネイル用の台紙２１、ＨＤＤの画２３の表示が消される（ステップＳ１７５）。
【００４８】
また、ステップＳ１７４の実行後、ＣＰＵにおいて、読み取った画像データがＨＤＤ１３に保存される（ステップＳ１７６）。そして、必要メモリ、サムネイル用メモリがクリアされる（ステップＳ１７７）。ステップＳ１７７の実行後、各部動作は終了する。
【００４９】
以上、本実施の形態によれば、両面読み読み取り動作をサムネイル画像２２、２４を用いた動画で表示部１２に表示することができる。これにより、ユーザの意図した画像読み取りを行うことのできる画像形成装置１を実現することができる。例えば、読み取った画像が読み取りミスであった場合、ユーザは、画像読み取り時に読み取った両面画像の読み取りミスに気付くことができる。これにより、ユーザは、読み取りを中断して、意図した画像読み取りをさせることができる。
【００５０】
また、サムネイル画像２２、２４を用いた動画は、画像読み取り部により読み取った画像をＨＤＤ１３に格納することを示すことができる。これにより、ユーザは、画像読み取り時に読み取りミスに気付いた場合、読み取りを中断して、意図した画像読み取りをさせることができる。
【００５１】
また、両面画像の読み取りを、サムネイル画像２２、２４を用いた動画により表示部１２に表示することができる。これにより、読み取った画像の天地が正しいかを、画像読み取り時に確認することができる。
【００５２】
また、原稿の両面読み取りをサムネイル画像２２、２４を用いた動画により表示部１２に表示する動作と、画像読み取り動作とを同期することができる。これにより、ユーザは、画像読み取り時に読み取りミスに気付いた場合、読み取りを中断して、意図した画像読み取りをさせることができる。
【００５３】
（第２の実施の形態）  
図６〜図１０を参照して、本発明に係る第２の実施の形態を説明する。図６に、本実施の形態において表示部１２に表示される画面表示を示す。図７及び図８にページ連写読み取り処理の流れを示す。図９及び図１０にページ連写読み取り処理が実行される際の各部動作を示す。
【００５４】
本実施の形態の装置構成は、第１の実施の形態と同様に画像形成装置１を用い、同一の構成要素には同一符号を付す。以下、第１の実施の形態と異なる点のみを説明する。
【００５５】
画像形成装置１において、制御部１０のＲＯＭにページ連写読み取りプログラムが記憶される。
【００５６】
図６を参照して、本実施の形態において表示部１２に表示される画面表示について説明する。先ず、図６（Ａ）に示すように、サムネイル用の台紙３１、２面分のサムネイル画像３２、３３、ＨＤＤの画３４が表示部１２に表示される。ここで、１面分のサムネイル画像３２を「Ａ」とする。また、１面分のサムネイル画像３３を「Ｂ」とする。また、表示部１２には、「ページ連写読み取りが選択されています」と表示される。
【００５７】
そして、図６（Ｂ）に示すように、サムネイル画像３２がＨＤＤの画３４の位置に移動する。サムネイル画像３２がＨＤＤの画３４の位置に移動すると、図６（Ｃ）に示すように、サムネイル画像３２がＨＤＤの画３４と重なる。この図は、サムネイル画像３２がＨＤＤ１３に格納されることを示している。
【００５８】
そして、図６（Ｄ）に示すように、サムネイル画像３３がＨＤＤの画３４の位置に移動する。サムネイル画像３３がＨＤＤの画３４の位置に移動すると、図６（Ｅ）に示すように、サムネイル画像３３がＨＤＤの画３４と重なる。この図は、サムネイル画像３３がＨＤＤ１３に格納されることを示している。
【００５９】
次に、図７及び図８を参照して、画像形成装置１で実行されるページ連写読み取り処理を説明する。ページ連写読み込み処理は、画像読み取り部１４から読み取った画像を連続してサムネイル画像として表示し、当該サムネイル画像がＨＤＤ１３に保存される動作を動画表示する。
【００６０】
例えば、画像形成装置１において、ユーザよりページ連写読み込み処理の実行指示が操作部１１を介して入力されたこと等をトリガとして、制御部１０でＲＯＭから読み出されて適宜ＲＡＭに展開されたページ連写読み取りプログラムと、ＣＰＵとの協働によりページ連写読み取り処理が実行される。
【００６１】
先ず、読み取られる原稿サイズより必要メモリ量が計算される（ステップＳ２０１）。そして、画像メモリ１７に必要メモリが確保される。このとき、原稿サイズ／２の２面分のメモリが確保される（ステップＳ２０２）。次いで、画像読み取り部１４に画像読み取りの指示が行われ、読み取られた画像が画像メモリ１７に保存される（ステップＳ２０３）。
【００６２】
ステップＳ２０３の実行後、サムネイル表示モードか否かの判別が行われる（ステップＳ２０４）。サムネイル表示モードでない場合（ステップＳ２０４；ＮＯ）、ステップＳ２１４へ移行される。サムネイル表示モードの場合（ステップＳ２０４；ＹＥＳ）、読み取った画像より、２面分のサムネイル用メモリ量が計算される（ステップＳ２０５）。ステップＳ２０５の実行後、画像メモリ１７に２面分のサムネイル用メモリが確保される（ステップＳ２０６）。そして、確保した領域に２面分のサムネイルが作成される（ステップＳ２０７）。
【００６３】
次いで、サムネイル用の台紙３１、サムネイル画像３２、３３、ＨＤＤの画３４を表示部１２に表示させる（ステップＳ２０８）。そして、サムネイル画像３２、３３をサムネイル用の台紙３１の初期位置座標にそれぞれ表示させる（ステップＳ２０９）。このステップは、図６（Ａ）に該当する。
【００６４】
そして、サムネイル画像３２である第１面サムネイル画像がＨＤＤの画３４の位置に来ているか否かが判別される（ステップＳ２１０）。第１面サムネイル画像がＨＤＤの画３４の位置に来ている場合（ステップＳ２１０；ＹＥＳ）、第１面サムネイル画像の表示が消される（ステップＳ２１１）。第１面サムネイル画像がＨＤＤの画３４の位置に来ていない場合（ステップＳ２１０；ＮＯ）、第１面サムネイル画像の表示が消される（ステップＳ２１２）。そして、第１面サムネイル画像が、消される前の座標よりＨＤＤの画３４に近づけて再表示される（ステップＳ２１３）。このステップは図６（Ｂ）に該当する。ステップＳ２１３の実行後、ステップＳ２１０へ移行される。
【００６５】
ステップＳ２１１の実行後、読み取った第１面の画像がＨＤＤ１３に保存される（ステップＳ２１４）。このステップは、図６（Ｃ）に該当する。ステップＳ２１４の実行後、原稿サイズの第１面の必要メモリ及び第１面のサムネイル用メモリがクリアされる（ステップＳ２１５）。
【００６６】
ステップＳ２１５の実行後、サムネイル表示モードか否かの判別が行われる（ステップＳ２１６）。サムネイル表示モードの場合（ステップＳ２１６；ＹＥＳ）、サムネイル画像３３である第２面サムネイル画像がＨＤＤの画３４の位置に来ているか否かが判別される（ステップＳ２１７）。第２面サムネイル画像がＨＤＤの画３４の位置に来ている場合（ステップＳ２１７；ＹＥＳ）、第２面サムネイル画像の表示が消される（ステップＳ２１８）。第２面サムネイル画像がＨＤＤの画３４の位置にきていない場合（ステップＳ２１７；ＮＯ）、第２面サムネイル画像の表示が消される（ステップＳ２１９）。そして、第２面サムネイル画像が、消される前の座標よりＨＤＤの画３４に近づけて再表示される（ステップＳ２２０）。このステップは図６（Ｄ）に該当する。ステップＳ２２０の実行後、ステップＳ２１７へ移行される。
【００６７】
ステップＳ２１８の実行後、読み取った第２面の画像がＨＤＤ１３に保存される（ステップＳ２２１）。このステップは、図６（Ｅ）に該当する。ステップＳ２２１の実行後、原稿サイズの第２面の必要メモリ及び第２面のサムネイル用メモリがクリアされる（ステップＳ２２２）。ステップＳ２２２の実行後、ページ連写読み取り処理は終了する。
【００６８】
次に、図９及び図１０を参照して、ページ連写読み取り処理の表示部１２の表示動作、ＣＰＵの内部処理動作及び画像形成装置１の実機動作について説明する。
先ず、画像形成装置１において、操作部１１を介してユーザより読み取り開始ボタンが押下される動作が行われる（ステップＳ２５１）。このステップは、ページ連写読み取り処理の実行指示に該当する。ステップＳ２５１が実行されると、ＣＰＵにおいて、原稿サイズより必要メモリ量が計算される（ステップＳ２５２）。そして、画像メモリ１７に必要メモリ量（原稿サイズ／２を２面分）が確保される。（ステップＳ２５３）。ステップＳ２５３の実行後、画像形成装置１において、画像読み取り部１４により読み取り動作が行われ、読み取った画像データが画像メモリ１７に保存される（ステップＳ２５４）。
【００６９】
ステップＳ２５４の実行後、ＣＰＵにおいて、読み取った画像より２面分のサムネイル用の必要メモリ量が計算される（ステップＳ２５５）。ステップＳ２５５の実行後、画像メモリ１７に２面分のサムネイル用メモリが確保される（ステップＳ２５６）。そして、確保した領域に２面分のサムネイルが作成される（ステップＳ２５７）。
【００７０】
ステップＳ２５７の実行後、表示部１２に、サムネイル用の台紙３１、サムネイル画像３２、３３、ＨＤＤの画３４が表示される（ステップＳ２５８）。そして、サムネイル画像３２、３３がサムネイル用台紙３１の初期位置座標にそれぞれ表示される（ステップＳ２５９）。ステップＳ２５９の実行後、サムネイル画像３２である第１面サムネイル画像をＨＤＤの画３４の位置までずらしながら再表示が繰り返される（ステップＳ２６０）。そして、第１面サムネイル画像の表示が消される（ステップＳ２６１）。
【００７１】
ステップＳ２６１の実行後、ＣＰＵにおいて、読み取った第１面画像データがＨＤＤ１３に保存される（ステップＳ２６２）。そして、原稿サイズの第１面の必要メモリ及び第１面サムネイル用メモリがクリアされる（ステップＳ２６３）。
【００７２】
ステップＳ２６３の実行後、表示部１２において、サムネイル画像３３である第２面サムネイル画像をＨＤＤの画３４の位置までずらしながら再表示が繰り返される（ステップＳ２６４）。そして、サムネイル画像３４である第２面サムネイル画像の表示が消される（ステップＳ２６５）。そして、サムネイル用台紙３１、ＨＤＤの画３４が消される（ステップＳ２６６）。
【００７３】
また、ステップＳ２６５の実行後、ＣＰＵにおいて、読み取った第２面画像データがＨＤＤ１３に保存される（ステップＳ２６７）。そして、原稿サイズの第２面の必要メモリ及び第２面サムネイル用メモリがクリアされる（ステップＳ２６８）。ステップＳ２６８の実行後、各部動作は終了する。
【００７４】
以上、本実施の形態によれば、ページ連写読み取りに関する動作をサムネイル画像３２、３３を用いた動画で表示部１２に表示することができる。これにより、ユーザの意図した画像読み取りを行うことのできる画像形成装置を実現することができる。例えば、読み取った画像が読み取りミスであった場合、ユーザは、ページ連写読み取り時に読み取ったページ連写の読み取りミスに気付くことができる。これにより、ユーザは、読み取りを中断して、意図した原稿読み取りをさせることができる。
【００７５】
また、サムネイル画像３２、３３を用いた動画は、画像読み取り部１４により読み取った画像をＨＤＤ１３に格納することを示すことができる。これにより、ユーザは、画像読み取り時に読み取りミスに気付いた場合、読み取りを中断して、意図した画像読み取りをさせることができる。
【００７６】
また、ページ連写の読み取りを、サムネイル画像を用いた動画により表示部１２に表示することができる。これにより、読み取った画像の天地が正しいかを、画像読み取り時に確認することができる。
【００７７】
（第３の実施の形態）  
図１１〜図１６を参照して、本発明に係る第３の実施の形態を説明する。図１１及び図１２に、本実施の形態において表示部１２に表示される画面表示を示す。図１３及び図１４に任意スタンプ選択処理の流れを示す。図１５及び図１６にスタンプ付き原稿読み取り処理が実行される際の各部動作を示す。
【００７８】
本実施の形態の装置構成は、第１の実施の形態と同様に画像形成装置１を用い、同一の構成要素には同一符号を付す。以下、第１の実施の形態と異なる点のみを説明する。
【００７９】
画像形成装置１において、制御部１０のＲＯＭにスタンプ付き原稿読み取りプログラムが記憶される。
【００８０】
図１１及び図１２を参照して、本実施の形態において表示部１２に表示される画面表示について説明する。先ず、図１１（Ａ）に示すように、サムネイル用台紙４１、サムネイル画像４２、ＨＤＤの画４３が表示部１２に表示される。ここで、サムネイル画像４２を「Ａ」とする。また、表示部１２には、「スタンプ付き原稿読み取りが選択されています」と表示される。
【００８１】
そして、図１１（Ｂ）に示すように、スタンプの画４４が表示される。ここで、スタンプの情報としては、会社名、書類番号、日付け等の情報が付加される。本実施の形態では、スタンプの情報として「Ｓｔａｍｐ」の文字が押されるものとして説明する。よって、スタンプの画４４には、「Ｓｔａｍｐ」の文字が表示される。このスタンプの画４４は、図１１（Ｃ）に示すように移動して、図１１（Ｄ）に示すようにサムネイル画像４２上に押下される。図１１（Ｅ）は、「Ｓｔａｍｐ」がサムネイル画像４２上に押下されたことを示している。そして、図１２（Ｆ）に示すように、サムネイル画像４２は、「Ｓｔａｍｐ」の文字が付加された状態で、ＨＤＤの画４３の位置に移動する。この図は、サムネイル画像４２がＨＤＤ１３に格納されることを示している。
【００８２】
次に、図１３及び図１４を参照して、画像形成装置１で実行されるスタンプ付き原稿の読み取り処理を説明する。スタンプ付き原稿の読み取り処理は、画像読み取り部１４から読み取ったスタンプ付きの画像をサムネイル画像として表示し、当該サムネイル画像がＨＤＤ１３に保存される動作を動画表示する。
【００８３】
例えば、画像形成装置１において、ユーザよりスタンプ付き原稿の読み取り処理の実行指示が操作部１１を介して入力されたこと等をトリガとして、制御部１０でＲＯＭから読み出されて適宜ＲＡＭに展開された両面画像読み込みプログラムと、ＣＰＵとの協働により任意スタンプ読み込み処理が実行される。
【００８４】
先ず、読み取られる原稿サイズより必要メモリ量が計算される（ステップＳ３０１）。そして、画像メモリ１７に必要メモリ量が確保される（ステップＳ３０２）。次いで、画像読み取り部１４に画像読み取りの動作指示が行われ、読み取られた画像が画像メモリ１７に保存される（ステップＳ３０３）。
【００８５】
ステップＳ３０３の実行後、サムネイル表示モードか否かの判別が行われる（ステップＳ３０４）。サムネイル表示モードでない場合（ステップＳ３０４；ＮＯ）、ステップＳ３２３へ移行される。サムネイル表示モードの場合（ステップＳ３０４；ＹＥＳ）、読み取った画像より、サムネイル用メモリ量が計算される（ステップＳ３０５）。ステップＳ３０５の実行後、画像メモリ１７にサムネイル用メモリが確保される（ステップＳ３０６）。そして、確保した領域にサムネイルが作成される（ステップＳ３０７）。
【００８６】
次いで、サムネイル用の台紙４１、サムネイル画像４２、ＨＤＤの画４３を表示部１２に表示させる（ステップＳ３０８）。そして、サムネイル画像４２をサムネイル用台紙４１の初期位置座標に表示させる（ステップＳ３０９）。このステップは、図１１（Ａ）に該当する。
【００８７】
そして、スタンプの画４４が表示される（ステップＳ３１０）。このステップは図１１（Ｂ）に該当する。ステップＳ３１０の実行後、スタンプの画４４がサムネイル画像４２の位置に来ているか否かが判別される（ステップＳ３１１）。スタンプの画４４がサムネイル画像４２の位置に来ている場合（ステップＳ３１１；ＹＥＳ）、読み取った画像データにスタンプが合成される（ステップＳ３１２）。スタンプの画４４がサムネイル画像４２の位置に来ていない場合（ステップＳ３１１；ＮＯ）、スタンプの画４４の表示が消される（ステップＳ３１３）。そして、スタンプの画４４が消される前の座標よりサムネイル画像４２に近づけられ、スタンプの画４４の面がサムネイル画像を向くように再表示される（ステップＳ３１４）。このステップは、図１１（Ｃ）、（Ｄ）に該当する。ステップＳ３１４の実行後、ステップＳ３１１へ移行される。
【００８８】
ステップＳ３１２の実行後、画像メモリ１７の確保した領域にサムネイルが再作成される（ステプＳ３１５）。そして、スタンプの画４４の表示が消される（ステップＳ３１６）。さらに、サムネイル画像４２の表示が消される（ステップＳ３１７）。
【００８９】
ステップＳ３１７の実行後、スタンプ付きのサムネイル画像４２がサムネイル用台紙４１の初期位置座標に表示される（ステップＳ３１８）。このステップは図１１（Ｅ）に該当する。そして、サムネイル画像４２がＨＤＤの画４３の位置に来ているか否かが判別される（ステップＳ３１９）。サムネイル画像４２がＨＤＤの画４３の位置に来ている場合（ステップＳ３１９；ＹＥＳ）、サムネイル画像４２の表示が消される（ステップＳ３２０）。このステップは図１２（Ｆ）に該当する。サムネイル画像４２がＨＤＤの画４３の位置に来ていない場合（ステップＳ３１９；ＮＯ）、サムネイル画像４２の表示が消される（ステップＳ３２１）。そして、サムネイル画像４２が消される前の座標よりＨＤＤの画４３に近づけられて、再表示される（ステップＳ３２２）。ステップＳ３２２の実行後、ステップＳ３１９へ移行される。
【００９０】
ステップＳ３２０の実行後、スタンプ付きの画像がＨＤＤ１３に保存される（ステップＳ３２３）。そして、原稿用メモリ、サムネイル用メモリがクリアされる（ステップＳ３２４）。ステップＳ３２４の実行後、スタンプ付き原稿読み取り処理は終了する。
【００９１】
次に、図１５及び図１６を参照して、スタンプ付き画像読み取り処理において、表示部１２の表示動作、ＣＰＵの内部処理動作及び画像形成装置１の実機動作について説明する。
先ず、画像形成装置１において、操作部１１を介してユーザより読み取り開始ボタンが押下される動作が行われる（ステップＳ３５１）。このステップは、スタンプ付き画像読み取り処理の実行指示に該当する。ステップＳ３５１が実行されると、ＣＰＵにおいて、原稿サイズより必要メモリ量が計算される（ステップＳ３５２）。そして、画像メモリ１７に必要メモリ量が確保される（ステップＳ３５３）。ステップＳ３５３の実行後、画像形成装置１において、画像読み取り部１４によりスキャン動作が行われ、スキャンした画像データが画像メモリ１７に保存される（ステップＳ３５４）。
【００９２】
ステップＳ３５４の実行後、ＣＰＵにおいて、スキャンした画像よりサムネイル用の必要メモリ量が計算される（ステップＳ３５５）。ステップＳ３５５の実行後、画像メモリ１７にサムネイル用メモリが確保される（ステップＳ３５６）。そして、確保した領域にサムネイルが作成される（ステップＳ３５７）。
【００９３】
ステップＳ３５７の実行後、表示部１２に、サムネイル用の台紙４１、サムネイル画像４２、ＨＤＤの画４３が表示される（ステップＳ３５８）。そして、サムネイル画像４２がサムネイル用台紙４１の初期位置座標に表示される（ステップＳ３５９）。ステップＳ３５９の実行後、スタンプの画４４が表示される（ステップＳ３６０）。そして、スタンプの画４４が、消される前の座標よりサムネイル画像４２に近づけられ、スタンプの画４４の面がサムネイル画像４２を向くように再表示される（ステップＳ３６１）。ステップＳ３６１の実行後、スタンプの画４４の表示が消される（ステップＳ３６２）。さらに、サムネイル画像４２の表示が消される（ステップＳ３６３）。
【００９４】
ステップＳ３６１の実行後、ＣＰＵにおいて、画像データとスタンプ画像が合成される（ステップＳ３６４）。そして、画像メモリ１７に確保した領域にサムネイルが再作成される（ステップＳ３６５）。
【００９５】
ステップＳ３６５の実行後、表示部１２において、スタンプ付きのサムネイル画像４２がサムネイル用台紙４１の初期位置座標に表示される（ステップＳ３６６）。そして、サムネイル画像４２をＨＤＤの画４３までずらしながら再表示が繰り返えされる（ステップＳ３６７）。ステップＳ３６７の実行後、サムネイル画像４２の表示が消される（ステップＳ３６８）。さらに、サムネイル用台紙４１、ＨＤＤの画４３の表示が消される（ステップＳ３６９）。
【００９６】
ステップＳ３６８の実行後、ＣＰＵにおいて、画像データがＨＤＤ１３に保存される（ステップＳ３７０）。そして、必要メモリ、サムネイル用メモリがクリアされる（ステップＳ３７１）。ステップＳ３７１の実行後、スタンプ付き原稿読み取り処理による各部動作は終了する。
【００９７】
以上、本実施の形態によれば、スタンプ付き原稿の読み取りに関する動作をサムネイル画像４２を用いた動画で表示部１２に表示することができる。これにより、ユーザの意図した画像読み取りを行うことのできる画像形成装置１を実現することができる。例えば、読み取った画像が読み取りミスであった場合、ユーザは、画像読み取り時に読み取った画像の読み取りミスに気付くことができる。これにより、ユーザは、読み取りを中断して、意図した原稿読み取りをさせることができる。
【００９８】
また、サムネイル画像４２を用いた動画は、画像読み取り部１４により読み取った画像をＨＤＤ１３に格納することを示すことができる。これにより、ユーザは、画像読み取り時に読み取りミスに気付いた場合、読み取りを中断して、意図した画像読み取りをさせることができる。
【００９９】
また、スタンプ付き原稿の読み取りを、サムネイル画像を用いた動画により表示部１２に表示することができる。これにより、読み取った画像の天地が正しいかを、画像読み取り時に確認することができる。
【０１００】
また、スタンプの情報として、会社名、書類番号、日付等が付加されている場合、これらの情報を画像読み取り時に確認することができる。
【０１０１】
また、スタンプの画４４がサムネイル画像４２にスタンプをしている動作を表示することにより、直感的にスタンプの読み取りを確認することができる。また、スタンプされたサムネイル画像４２を確認することにより、スタンプの位置設定が正しくできているかを確認することができる。
【０１０２】
なお、上記各実施の形態における記述は、本発明に係る画像形成装置１の一例であり、これに限定されるものではない。
【０１０３】
例えば、図１７を参照して画像読み取り設定条件の読み取り動作として、転写紙読み取りが選択された場合について説明する。ここで、転写紙読み取りとは、原稿サイズ以外の部分は、自動的に消去し、選択された転写紙のサイズ分しか読み取りを行わない設定のことをいう。
【０１０４】
図１７（Ａ）に、原稿５１を示す。ここで、原稿５１の原稿サイズはＡ３サイズとする。また、原稿上には「ＡＢＣ」の文字が印刷されているものとする。図１７（Ｂ）は、原稿５１、画像読み取り部１４のプラテン５２、転写紙サイズ５３を示す。ここで、転写紙サイズ５３はＡ４サイズが選択されているものとする。この設定で、転写紙読み取りを選択した場合に表示部１２に表示される画面を図１７（Ｃ）に示す。図１７（Ｃ）は、サムネイル用台紙５４、サムネイル画像５５、ＨＤＤの画５６を示す。図１７（Ｃ）に示すように、サムネイル画像５５は、原稿サイズでなく、転写紙のサイズしか読み取られていない。この場合、ユーザは、操作部１１を介して原稿の読み込みをストップして、再度、転写紙のサイズ５３をＡ３サイズに再設定することができる。ユーザが転写紙のサイズ５３をＡ３に再設定した場合、図１７（Ｄ）に示すように、サムネイル画像５５は、原稿５１が読み取られる。そして、図１７（Ｅ）に示すように、サムネイル画像５５がＨＤＤの画５６に移動する。
【０１０５】
したがって、ユーザは画像読み取り時に、読み取った画像の読み取りミスに気付くことができる。また、ユーザは読み取りミスに気付いた場合、読み取りを中断して、意図した原稿読み取りをさせることができる。
【０１０６】
また、画像出力部１６による画像出力時に、画像出力に関する動作を動画で表示部１２に表示する構成としてもよい。ここで画像出力に関する動作を動画で表示するとは、原稿から読み取った画像データを転写紙に印刷する過程を示した動画のことをいう。例として、原稿の片面（両面）から読み取った画像データを、転写紙の両面（片面）に印刷する過程を動画で示す例が挙げられる。これにより、ユーザは、画像出力時に、読み取った画像の画像出力ミスに気付いた場合、出力を中断して、意図した画像の出力をさせることができる。
【０１０７】
また、画像読み取り部１４により読み取った画像が、カラー画像である場合はサムネイル画像をカラーで表示部１２に表示し、モノクロ画像である場合は、サムネイル画像をモノクロ画像として表示部１２に表示する構成としてもよい。これにより、ユーザは読み取った画像が、カラーであるのかモノクロであるのかを判別することができる。
【０１０８】
また、画像読み取り時、及び画像出力時に画像の濃度設定条件を表示する構成としてもよい。これにより、ユーザは、画像読み取り時の濃度設定条件と画像出力時の濃度設定条件とを区別することができる。  
【０１０９】
その他、上記実施の形態における画像形成装置１の細部構成及び詳細動作に関しても、本発明の趣旨を逸脱しない範囲で適宜変更可能である。
【図面の簡単な説明】
【０１１０】
【図１】本発明に係る画像形成装置１の内部構成図である。
【図２】第１の実施の形態において表示部１２に表示される画面を示した図である。
【図３】両面読み取り処理の流れを示したフローチャートである。
【図４】両面読み取り処理の表示部１２の表示動作、ＣＰＵの内部処理動作及び画像形成装置１の実機動作を示したフローチャートである。
【図５】両面読み取り処理の表示部１２の表示動作、ＣＰＵの内部処理動作及び画像形成装置１の実機動作を示したフローチャートである。
【図６】第２の実施の形態において表示部１２に表示される画面を示した図である。
【図７】ページ連写読み取り処理の流れを示したフローチャートである。
【図８】ページ連写読み取り処理の流れを示したフローチャートである。
【図９】ページ連写読み取り処理の表示部１２の表示動作、ＣＰＵの内部処理動作及び画像形成装置１の実機動作を示したフローチャートである。
【図１０】ページ連写読み取り処理の表示部１２の表示動作、ＣＰＵの内部処理動作及び画像形成装置１の実機動作を示したフローチャートである。
【図１１】第３の実施の形態において表示部１２に表示される画面を示した図である。
【図１２】第３の実施の形態において表示部１２に表示される画面を示した図である。
【図１３】スタンプ付き原稿読み取り処理の流れを示したフローチャートである。
【図１４】スタンプ付き原稿読み取り処理の流れを示したフローチャートである。
【図１５】スタンプ付き原稿読み取り処理の表示部１２の表示動作、ＣＰＵの内部処理動作及び画像形成装置１の実機動作を示したフローチャートである。
【図１６】スタンプ付き原稿読み取り処理の表示部１２の表示動作、ＣＰＵの内部処理動作及び画像形成装置１の実機動作を示したフローチャートである。
【図１７】転写紙読み取りが選択された場合の説明図である。
【符号の説明】
【０１１１】
１     画像形成装置
１０   制御部
１１   操作部
１２   表示部
１３   ＨＤＤ
１４   画像読み取り部
１５   画像処理部
１６   画像出力部
１７   画像メモリ
１８   通信部
１９   Ｉ／Ｆ部
２１、３１、４１、５４          サムネイル用の台紙
２２、２４、３２、３３、４２、５５        サムネイル画像
２３、３４、４３、５６      ＨＤＤの画
４４  スタンプの画
５１   原稿
５２   プラテン
５３   転写紙サイズ
【図１】
2008026381.tif 000003
【図２】
2008026381.tif 000004
【図３】
2008026381.tif 000005
【図４】
2008026381.tif 000006
【図５】
2008026381.tif 000007
【図６】
2008026381.tif 000008
【図７】
2008026381.tif 000009
【図８】
2008026381.tif 000010
【図９】
2008026381.tif 000011
【図１０】
2008026381.tif 000012
【図１１】
2008026381.tif 000013
【図１２】
2008026381.tif 000014
【図１３】
2008026381.tif 000015
【図１４】
2008026381.tif 000016
【図１５】
2008026381.tif 000017
【図１６】
2008026381.tif 000018
【図１７】
2008026381.tif 000019